(57)【要約】【課題】動画像とＯＳＤ画像を同時に表示する場合における操作性をより向上させることが可能な表示装置等を提供すること。【解決手段】プロジェクタ１００が、ユーザーの指示情報を入力する入力部１３０と、タイマー部１１１と、前記指示情報の内容を判定する判定部１１２と、視聴環境を設定するためのＯＳＤ画像の透過率を、合成画像の表示経過時間に応じて徐々に大きくなるように設定する透過率設定部１１３と、前記ＯＳＤ画像の設定を示すＯＳＤ設定データ１２２と、前記視聴環境の設定値を示す環境設定データ１２３とを記憶する記憶部１２０と、前記ＯＳＤ画像と、動画像とを合成した前記合成画像を生成する画像生成部１１４と、前記合成画像を表示する投写部１５０とを含んで構成される。【選択図】図４
2007132984.tif 000002
【特許請求の範囲】
【請求項１】
ユーザーの指示情報を入力する入力部と、
タイマー部と、
前記指示情報の内容を判定する判定部と、
視聴環境を設定するためのＯＳＤ画像の透過率を設定する透過率設定部と、
前記ＯＳＤ画像の設定を示すＯＳＤ設定データと、前記視聴環境の設定値を示す環境設定データとを記憶する記憶部と、
前記ＯＳＤ画像と、動画像とを合成した合成画像を生成する画像生成部と、
前記合成画像を表示する表示部と、
を含む表示装置であって、
前記透過率設定部は、前記タイマー部のタイマー値に基づき、前記合成画像の表示経過時間に応じて徐々に透過率が大きくなるように前記ＯＳＤ設定データを更新し、
前記判定部は、前記指示情報が前記視聴環境の設定を示す情報である場合、当該指示情報に応じて前記環境設定データを更新し、
前記画像生成部は、前記ＯＳＤ設定データと、前記環境設定データとに基づき、前記合成画像を生成することを特徴とする表示装置。
【請求項２】
請求項１に記載の表示装置において、
前記透過率の最小値は、０以上かつ１００より小さい値であって、
前記透過率の最大値は、前記最小値より大きくかつ１００より小さい値であって、
前記表示経過時間は、前記透過率が前記最小値に設定された時点からの経過時間であって、
前記透過率設定部は、前記表示経過時間に応じて前記透過率が前記最小値から前記最大値まで段階的または連続的に変化するように前記ＯＳＤ設定データを更新することを特徴とする表示装置。
【請求項３】
請求項２に記載の表示装置において、
前記透過率設定部は、前記指示情報が入力された場合、前記透過率が前記最小値になるように前記ＯＳＤ設定データを更新することを特徴とする表示装置。
【請求項４】
請求項１〜３のいずれかに記載の表示装置において、
前記ＯＳＤ画像は、複数種の項目の設定値を設定するための画像であって、
前記ＯＳＤ設定データは、前記項目ごとの透過率を示す透過率データを含み、
前記透過率設定部は、ユーザーによる最新の設定項目が非透過状態で、かつ、当該設定項目以外の項目が透過状態で表示されるように、前記透過率データを更新することを特徴とする表示装置。
【請求項５】
請求項１〜４のいずれかに記載の表示装置において、
前記画像生成部は、複数種の動画像を含む画像を生成する場合、各動画像に対応した複数の前記ＯＳＤ画像と、各動画像とを合成した合成画像を生成することを特徴とする表示装置。
【請求項６】
コンピュータを、
ユーザーの指示情報を入力する入力部と、
タイマー部と、
前記指示情報の内容を判定する判定部と、
視聴環境を設定するためのＯＳＤ画像の透過率を設定する透過率設定部と、
前記ＯＳＤ画像の設定を示すＯＳＤ設定データと、前記視聴環境の設定値を示す環境設定データとを記憶する記憶部と、
前記ＯＳＤ画像と、動画像とを合成した合成画像を生成する画像生成部と、
前記合成画像を表示する表示部として機能させるためのプログラムであって、
前記透過率設定部は、前記タイマー部のタイマー値に基づき、前記合成画像の表示経過時間に応じて徐々に透過率が大きくなるように前記ＯＳＤ設定データを更新し、
前記判定部は、前記指示情報が前記視聴環境の設定を示す情報である場合、当該指示情報に応じて前記環境設定データを更新し、
前記画像生成部は、前記ＯＳＤ設定データと、前記環境設定データとに基づき、前記合成画像を生成することを特徴とするプログラム。
【請求項７】
請求項６に記載のプログラムを記憶したコンピュータ読み取り可能な情報記憶媒体。
【請求項８】
入力部と、タイマー部と、判定部と、透過率設定部と、視聴環境を設定するためのＯＳＤ画像の設定を示すＯＳＤ設定データおよび前記視聴環境の設定値を示す環境設定データを記憶する記憶部と、画像生成部と、表示部とを含むコンピュータによるＯＳＤ画像表示方法であって、
前記判定部は、前記入力部によって入力されるユーザーの指示情報の内容を判定し、
前記指示情報が前記ＯＳＤ画像の表示指示を示す情報である場合、
前記画像生成部は、前記ＯＳＤ設定データと、前記環境設定データとに基づき、透過率が最小値に設定された前記ＯＳＤ画像と、動画像とを含む合成画像を生成し、
前記表示部は、当該合成画像を表示し、
前記指示情報が前記視聴環境の設定を示す情報である場合、
前記透過率設定部は、前記ＯＳＤ画像の透過率が最小値に設定されるように前記ＯＳＤ設定データを更新し、
前記判定部は、当該指示情報に応じて前記環境設定データを更新し、
前記画像生成部は、前記ＯＳＤ設定データと、前記環境設定データとに基づき、前記合成画像を生成し、
前記表示部は、当該合成画像を表示し、
前記指示情報が前記入力部に入力されない場合、
前記透過率設定部は、前記タイマー部のタイマー値に基づき、前記ＯＳＤ画像の透過率が最小値に設定された時点からの経過時間に応じて徐々に透過率が大きくなるように前記ＯＳＤ設定データを更新し、
前記画像生成部は、前記ＯＳＤ設定データと、前記環境設定データとに基づき、透過率が変更された前記ＯＳＤ画像と、前記動画像とを含む前記合成画像を生成し、
前記表示部は、当該合成画像を表示することを特徴とするＯＳＤ画像表示方法。
【発明の詳細な説明】
【技術分野】
【０００１】
本発明は、ＯＳＤ画像を表示するための表示装置、プログラム、情報記憶媒体およびＯＳＤ画像表示方法に関する。
【背景技術】
【０００２】
表示装置が、視聴環境を設定するためのメニュー画像等のＯＳＤ（On Screen Display）画像を表示する場合、メニュー画像等の背景にある元の画像をユーザーが確認することが困難になる。
【０００３】
このような問題を解決するため、特許文献１には、主画像と、副画像と、階調変換画像とを合成して表示することによって副画像を透過表示させ、副画像の背景にある主画像も視認できるように構成されたプロジェクタが記載されている。
【０００４】
また、特許文献１では、プロジェクタが、階調変換パラメータを時間の経過に伴って変更することにより、副画像の背景部分の階調を徐々に変化させることも記載されている。
【特許文献１】特開２００４−７２３８号公報
【発明の開示】
【発明が解決しようとする課題】
【０００５】
特許文献１のプロジェクタが副画像を透過表示させる目的は、副画像が大きく表示される場合であってもユーザーが主画像を見損なうことを防止するためである。また、特許文献１のプロジェクタが副画像の背景部分の階調を徐々に変化させるのは、デザイン面において多様な視覚的効果を得るためである。
【０００６】
しかし、動画像の場合、時系列で表示内容が変化するため、ある時点において隠されて見逃した部分を取り戻すのは容易ではない。特許文献１では、動画像の場合にＯＳＤ画像を表示することについては考慮されていない。また、特許文献１では、複数のＯＳＤ画像を表示する場合についても考慮されていない。
【０００７】
本発明の目的は、動画像とＯＳＤ画像を同時に表示する場合における操作性をより向上させることが可能な表示装置、プログラム、情報記憶媒体およびＯＳＤ画像表示方法を提供することにある。
【課題を解決するための手段】
【０００８】
上記課題を解決するため、本発明に係る表示装置は、
ユーザーの指示情報を入力する入力部と、
タイマー部と、
前記指示情報の内容を判定する判定部と、
視聴環境を設定するためのＯＳＤ画像の透過率を設定する透過率設定部と、
前記ＯＳＤ画像の設定を示すＯＳＤ設定データと、前記視聴環境の設定値を示す環境設定データとを記憶する記憶部と、
前記ＯＳＤ画像と、動画像とを合成した合成画像を生成する画像生成部と、
前記合成画像を表示する表示部と、
を含む表示装置であって、
前記透過率設定部は、前記タイマー部のタイマー値に基づき、前記合成画像の表示経過時間に応じて徐々に透過率が大きくなるように前記ＯＳＤ設定データを更新し、
前記判定部は、前記指示情報が前記視聴環境の設定を示す情報である場合、当該指示情報に応じて前記環境設定データを更新し、
前記画像生成部は、前記ＯＳＤ設定データと、前記環境設定データとに基づき、前記合成画像を生成することを特徴とする。
【０００９】
また、本発明に係るプログラムは、
コンピュータを、
ユーザーの指示情報を入力する入力部と、
タイマー部と、
前記指示情報の内容を判定する判定部と、
視聴環境を設定するためのＯＳＤ画像の透過率を設定する透過率設定部と、
前記ＯＳＤ画像の設定を示すＯＳＤ設定データと、前記視聴環境の設定値を示す環境設定データとを記憶する記憶部と、
前記ＯＳＤ画像と、動画像とを合成した合成画像を生成する画像生成部と、
前記合成画像を表示する表示部として機能させるためのプログラムであって、
前記透過率設定部は、前記タイマー部のタイマー値に基づき、前記合成画像の表示経過時間に応じて徐々に透過率が大きくなるように前記ＯＳＤ設定データを更新し、
前記判定部は、前記指示情報が前記視聴環境の設定を示す情報である場合、当該指示情報に応じて前記環境設定データを更新し、
前記画像生成部は、前記ＯＳＤ設定データと、前記環境設定データとに基づき、前記合成画像を生成することを特徴とする。
【００１０】
また、本発明に係る情報記憶媒体は、コンピュータにより読み取り可能な情報記憶媒体であって、上記プログラムを記憶したことを特徴とする。
【００１１】
また、本発明に係るＯＳＤ画像表示方法は、入力部と、タイマー部と、判定部と、透過率設定部と、視聴環境を設定するためのＯＳＤ画像の設定を示すＯＳＤ設定データおよび前記視聴環境の設定値を示す環境設定データを記憶する記憶部と、画像生成部と、表示部とを含むコンピュータによるＯＳＤ画像表示方法であって、
前記判定部は、前記入力部によって入力されるユーザーの指示情報の内容を判定し、
前記指示情報が前記ＯＳＤ画像の表示指示を示す情報である場合、
前記画像生成部は、前記ＯＳＤ設定データと、前記環境設定データとに基づき、透過率が最小値に設定された前記ＯＳＤ画像と、動画像とを含む合成画像を生成し、
前記表示部は、当該合成画像を表示し、
前記指示情報が前記視聴環境の設定を示す情報である場合、
前記透過率設定部は、前記ＯＳＤ画像の透過率が最小値に設定されるように前記ＯＳＤ設定データを更新し、
前記判定部は、当該指示情報に応じて前記環境設定データを更新し、
前記画像生成部は、前記ＯＳＤ設定データと、前記環境設定データとに基づき、前記合成画像を生成し、
前記表示部は、当該合成画像を表示し、
前記指示情報が前記入力部に入力されない場合、
前記透過率設定部は、前記タイマー部のタイマー値に基づき、前記ＯＳＤ画像の透過率が最小値に設定された時点からの経過時間に応じて徐々に透過率が大きくなるように前記ＯＳＤ設定データを更新し、
前記画像生成部は、前記ＯＳＤ設定データと、前記環境設定データとに基づき、透過率が変更された前記ＯＳＤ画像と、前記動画像とを含む前記合成画像を生成し、
前記表示部は、当該合成画像を表示することを特徴とする。
【００１２】
本発明によれば、表示装置等は、ＯＳＤ画像の表示経過時間に応じてＯＳＤ画像の透過率を大きくすることにより、ＯＳＤ画像を徐々に透明にすることができる。また、表示装置等は、ＯＳＤ画像における視聴環境の設定を即座に合成画像に反映することができる。これにより、ユーザーは、画像の明るさ調整等の視聴環境設定を繰り返し行う場合であっても、設定しやすく、表示装置等は、視聴環境設定の操作性をより向上させることができる。
【００１３】
また、本発明によれば、表示装置等は、動画像を確認できる状態でＯＳＤ画像を表示することにより、ユーザーは動画像を見逃すことなく、ＯＳＤ画像による設定を行うことができる。
【００１４】
また、前記表示装置、前記プログラム、前記情報記憶媒体および前記ＯＳＤ画像表示方法において、前記透過率の最小値は、０以上かつ１００より小さい値であって、
前記透過率の最大値は、前記最小値より大きくかつ１００より小さい値であって、
前記表示経過時間は、前記透過率が前記最小値に設定された時点からの経過時間であって、
前記透過率設定部は、前記表示経過時間に応じて前記透過率が前記最小値から前記最大値まで段階的または連続的に変化するように前記ＯＳＤ設定データを更新してもよい。
【００１５】
これによれば、表示装置等は、透過率を１００％にしないことによって従来のようにＯＳＤ画像が完全に透明になることを防止することができる。これにより、ユーザーは、画像の明るさ調整等の視聴環境設定を繰り返し行う場合であっても、設定しやすく、表示装置等は、視聴環境設定の操作性をより向上させることができる。
【００１６】
また、前記表示装置、前記プログラム、前記情報記憶媒体および前記ＯＳＤ画像表示方法において、前記透過率設定部は、前記指示情報が入力された場合、前記透過率が前記最小値になるように前記ＯＳＤ設定データを更新してもよい。
【００１７】
これによれば、表示装置等は、ユーザーの指示があった場合に、即座に透過率を最初の状態に戻すことにより、ユーザーは、ＯＳＤ画像を確認しやすい。これにより、ユーザーは、画像の明るさ調整等の視聴環境設定を繰り返し行う場合であっても、設定しやすく、表示装置等は、視聴環境設定の操作性をより向上させることができる。
【００１８】
また、前記表示装置、前記プログラム、前記情報記憶媒体および前記ＯＳＤ画像表示方法において、前記ＯＳＤ画像は、複数種の項目の設定値を設定するための画像であって、
前記ＯＳＤ設定データは、前記項目ごとの透過率を示す透過率データを含み、
前記透過率設定部は、ユーザーによる最新の設定項目が非透過状態で、かつ、当該設定項目以外の項目が透過状態で表示されるように、前記透過率データを更新してもよい。
【００１９】
これによれば、表示装置等は、合成画像におけるＯＳＤ画像の表示割合を減少させることができ、ＯＳＤ画像の設定が行われる場合であっても、動画像をより見やすく表示することができる。また、これによれば、表示装置等は、ユーザーによる最新の設定項目のみを表示することができるため、ユーザーの操作性をより向上させることができる。
【００２０】
また、前記表示装置、前記プログラム、前記情報記憶媒体および前記ＯＳＤ画像表示方法において、前記画像生成部は、複数種の動画像を含む画像を生成する場合、各動画像に対応した複数の前記ＯＳＤ画像と、各動画像とを合成した合成画像を生成してもよい。
【００２１】
これによれば、表示装置等は、複数種の動画像を同時に表示する場合であっても、ユーザーは動画像ごとに視聴環境を設定することができるため、ユーザーの操作性を向上させることができる。
【発明を実施するための最良の形態】
【００２２】
以下、本発明をプロジェクタに適用した場合を例に採り、図面を参照しつつ説明する。なお、以下に示す実施例は、特許請求の範囲に記載された発明の内容を何ら限定するものではない。また、以下の実施例に示す構成の全てが、特許請求の範囲に記載された発明の解決手段として必須であるとは限らない。
【００２３】
本実施例における表示装置の一種であるプロジェクタは、通常は動画像を投写しているが、ユーザーから視聴環境設定の指示があった場合、動画像と視聴環境設定用のＯＳＤ画像を合成した合成画像を表示する。
【００２４】
図１は、本実施例における合成画像３００の初期状態を示す図である。また、図２は、本実施例における合成画像３００の中間状態を示す図である。また、図３は、本実施例における合成画像３００の最終状態を示す図である。
【００２５】
図１〜図３に示すように、プロジェクタは、ＯＳＤ画像３１０が表示経過時間に応じて徐々に透明になるように（透過率が大きくなるように）合成画像３００を表示する。これにより、ユーザーは、ＯＳＤ画像３１０を用いて視聴環境を繰り返し設定する場合であっても、動画像に含まれるオブジェクト３２０等を見逃すことなく設定することができる。
【００２６】
次に、このような機能を有するプロジェクタ１００の機能ブロックについて説明する。
【００２７】
図４は、本実施例におけるプロジェクタ１００の機能ブロック図である。
【００２８】
プロジェクタ１００は、ユーザーの指示情報を入力する入力部１３０と、画像情報を入力する画像情報入力部１４０と、処理部１１０と、記憶部１２０と、合成画像３００を表示する表示部として機能する投写部１５０とを含んで構成されている。
【００２９】
また、処理部１１０は、タイマー部１１１と、指示情報の内容を判定する判定部１１２と、ＯＳＤ画像３１０の透過率を設定する透過率設定部１１３と、合成画像３００を生成する画像生成部１１４とを含んで構成されている。
【００３０】
また、記憶部１２０は、ＯＳＤ画像３１０を生成するためのＯＳＤ画像データ１２１、ＯＳＤ画像３１０の設定を示すＯＳＤ設定データ１２２、視聴環境の設定値を示す環境設定データ１２３等を記憶している。
【００３１】
ここで、ＯＳＤ画像データ１２１とＯＳＤ設定データ１２２のデータ構造について説明する。
【００３２】
図５は、本実施例におけるＯＳＤ画像データ１２１とＯＳＤ設定データ１２２のデータ構造を示す図である。
【００３３】
ＯＳＤ画像データ１２１の項目としては、例えば、識別情報である「ＩＤ」、設定項目を示す「項目」、「画像データ」等が該当する。
【００３４】
また、ＯＳＤ設定データ１２２の項目としては、例えば、識別情報である「ＩＤ」、設定項目を示す「項目」、表示状態を示す「状態」、項目ごとの透過率を示す「透過率」、表示位置を示す「位置」等が該当する。
【００３５】
なお、ＯＳＤ画像データ１２１、ＯＳＤ設定データ１２２として用いる項目は、図５に示す例に限定されず、使用する形態に合わせて追加、変更、削除されてもよい。例えば、「項目」、「状態」、「位置」は必須ではない。
【００３６】
また、判定部１１２等の各部は、例えば、以下のハードウェアを用いて構成されてもよい。
【００３７】
例えば、入力部１３０は直接入力用のボタン、リモコンからの赤外光を受光する間接入力用の赤外線インターフェース等、画像情報入力部１４０は一般的に用いられている入出力インターフェース等、タイマー部１１１はシステムタイマー等、判定部１１２、透過率設定部１１３はＣＰＵ等、画像生成部１１４は画像処理回路等、投写部１５０はランプ、液晶パネル、投写レンズ、ドライバ等、記憶部１２０はＲＡＭ等を用いて構成されてもよい。
【００３８】
さらに、判定部１１２等としてコンピュータを機能させるためのプログラムを記憶した情報記憶媒体２００からプログラムを読み取って判定部１１２等の機能をコンピュータに実装してもよい。
【００３９】
このような情報記憶媒体２００としては、例えば、ＣＤ−ＲＯＭ、ＤＶＤ−ＲＯＭ、ＲＯＭ、ＲＡＭ、ＨＤＤ等を適用でき、そのプログラムの読み取り方式は接触方式であっても、非接触方式であってもよい。
【００４０】
また、情報記憶媒体２００に代えて、上述した各機能を実装するためのプログラム等を、伝送路を介してホスト装置等からダウンロードすることによって上述した各機能を実装することも可能である。
【００４１】
次に、これらの各部を用いたＯＳＤ画像表示における処理の流れについて説明する。
【００４２】
図６は、本実施例におけるＯＳＤ画像表示における処理の流れを示すフローチャートである。
【００４３】
入力部１３０は、ユーザーによるボタン操作またはリモコン操作によってＯＳＤ画像３１０の表示指示を示す指示情報を入力する。判定部１１２は、指示情報の内容を判定し、画像生成部１１４は、ＯＳＤ画像３１０を含む合成画像３００を生成し、投写部１５０は、非透過状態のＯＳＤ画像３１０を含む合成画像３００を表示する（ステップＳ１）。
【００４４】
なお、本実施例では、プロジェクタ１００は、初期状態では透過率を最小値に設定したＯＳＤ画像３１０を表示するが、表示経過時間（透過率が最小値に設定されてからの経過時間）に応じて段階的に透過率を大きくする。
【００４５】
図７は、本実施例におけるＯＳＤ画像３１１の初期状態を示す図である。
【００４６】
より具体的には、ＯＳＤ画像３１１は、プロジェクタの環境設定メニューの画像である。当該環境設定メニューのトップメニューの設定項目としては、例えば、画像の明るさ等を調整するための「画質調整」、画像の表示位置、サイズ等を調整するための「映像」、台形補正、音量等を調整するための「設定」、待機モード等を設定するための「拡張設定」、ランプの点灯時間等を初期化するための「初期化」等が該当する。
【００４７】
また、各トップメニューにはサブメニューが設けられており、ユーザーはサブメニューで種々の設定を行う。例えば、トップメニューの「画質調整」には、「カラーモード」、「明るさ」、「コントラスト」等のサブメニューが設けられている。
【００４８】
判定部１１２は、入力部１３０からの指示情報に基づき、ＯＳＤ画像３１０が表示された状態でユーザーによる指示があるかどうかを判定する（ステップＳ２）。
【００４９】
また、判定部１１２は、指示があった場合、ＯＳＤ画像３１０の表示終了指示であるかどうかを判定する（ステップＳ３）。
【００５０】
表示終了指示である場合、プロジェクタ１００は、ＯＳＤ画像３１０の表示を終了する。一方、表示終了指示ではない場合、すなわち、設定指示である場合、判定部１１２は、当該設定指示に応じて環境設定データ１２３、ＯＳＤ設定データ１２２を更新する（ステップＳ４）。
【００５１】
例えば、図７に示すＯＳＤ画像３１１が表示された状態で、ユーザーが「画質調整」の「明るさ」を設定する操作を行った場合、判定部１１２は、ＯＳＤ設定データ１２２の「明るさ」の「透過率」を「５０」に設定し、他の項目の「透過率」を「１００」に設定する。なお、環境設定データ１２３に関する処理は従来通りの処理であるため説明を省略する。
【００５２】
投写部１５０は、ＯＳＤ設定データ１２２に基づきＯＳＤ画像３１０を表示する（ステップＳ５）。なお、画像の透過率を変えて表示する手法は一般的に用いられている種々の手法を採用可能であり、例えば、プロジェクタ１００の表示用ＣＰＵに実装された透過表示機能を採用してもよい。
【００５３】
図８は、本実施例におけるＯＳＤ画像３１２の中間状態を示す図である。
【００５４】
例えば、ユーザーが「画質調整」の「明るさ」を設定する操作を行った場合、「明るさ」の透過率が５０％であり、他の項目の透過率は１００％であるため、図８に示すように、ＯＳＤ画像３１２では、「明るさ」のサブメニューのみが見える状態となる。
【００５５】
また、ＯＳＤ画像３１０の表示後、ユーザーからの指示がない状態で所定時間（例えば、５秒〜１分等）が経過した場合、判定部１１２は、ＯＳＤ設定データ１２２に基づき、ＯＳＤ画像３１０の透過率が最大ではないかどうかを判定する（ステップＳ７）。
【００５６】
ＯＳＤ画像３１０の透過率が最大ではない場合、透過率設定部１１３は、透過率が増加するようにＯＳＤ設定データ１２２を更新する（ステップＳ８）。
【００５７】
なお、本実施例では、透過率設定部１１３は、透過率が５０、６０、７０、８０（最大）と段階的に増加するようにＯＳＤ設定データ１２２を更新する。
【００５８】
そして、投写部１５０は、ＯＳＤ設定データ１２２に基づきＯＳＤ画像３１０を表示する（ステップＳ５）。
【００５９】
なお、ＯＳＤ画像３１０の透過率が最大（本実施例では８０％）になった場合、ＯＳＤ設定データ１２２の更新（ステップＳ８）は行われない。また、ＯＳＤ画像３１０の透過率が増加している状態でユーザーからの指示があった場合、判定部１１２は、設定中の項目の透過率が最小値に設定されるようにＯＳＤ設定データ１２２を更新する（ステップＳ４）。
【００６０】
以上のように、本実施例によれば、プロジェクタ１００は、ＯＳＤ画像３１０の表示経過時間に応じてＯＳＤ画像３１０の透過率を大きくすることにより、ＯＳＤ画像３１０を徐々に透明にすることができる。また、プロジェクタ１００は、ＯＳＤ画像３１０における視聴環境の設定を即座に合成画像３００に反映することができる。これにより、ユーザーは、画像の明るさ調整等の視聴環境設定を繰り返し行う場合であっても、設定しやすく、プロジェクタ１００は、視聴環境設定の操作性をより向上させることができる。
【００６１】
また、本実施例によれば、プロジェクタ１００は、動画像を確認できる状態でＯＳＤ画像３１０を表示することにより、ユーザーは動画像を見逃すことなく、ＯＳＤ画像３１０による設定を行うことができる。すなわち、ユーザーは、明るい場面や暗い場面において明るさ等を調整する場合であっても、当該場面を待っている間、ＯＳＤ画像３１０が表示された状態で動画像を鑑賞し、当該場面になった場合に即座に明るさ等を調整することができる。
【００６２】
また、本実施例によれば、プロジェクタ１００は、例えば、ＤＶＤプレイヤーからの画像情報からケーブルＴＶのセットトップボックスからの画像情報に切り替える場合であっても、ＯＳＤ画像３１０を表示したままの状態で維持することができるため、ユーザーは、動画像を切り替える場合であっても新たな動画像に合わせて即座に明るさ等を調整することができる。
【００６３】
また、本実施例によれば、プロジェクタ１００は、透過率を１００％にしないことによって従来のようにＯＳＤ画像が完全に透明になることを防止することができる。これにより、ユーザーは、画像の明るさ調整等の視聴環境設定を繰り返し行う場合であっても、設定しやすく、プロジェクタ１００は、視聴環境設定の操作性をより向上させることができる。
【００６４】
また、本実施例によれば、プロジェクタ１００は、ユーザーの指示があった場合に、即座に透過率を最初の状態に戻すことにより、ユーザーは、ＯＳＤ画像３１０を確認しやすい。これにより、ユーザーは、画像の明るさ調整等の視聴環境設定を繰り返し行う場合であっても、設定しやすく、プロジェクタ１００は、視聴環境設定の操作性をより向上させることができる。
【００６５】
また、本実施例によれば、プロジェクタ１００は、図８に示すようにユーザーによる最新の設定項目が非透過状態で、かつ、当該設定項目以外の項目が透過状態でＯＳＤ画像３１２を表示することにより、合成画像３００におけるＯＳＤ画像３１０の表示割合を減少させることができ、ＯＳＤ画像３１０の設定が行われる場合であっても、動画像をより見やすく表示することができる。また、これによれば、表示装置等は、ユーザーによる最新の設定項目のみを表示することができるため、ユーザーの操作性をより向上させることができる。
【００６６】
なお、本発明の適用は上述した実施例に限定されず、種々の変形が可能である。
【００６７】
例えば、プロジェクタ１００は、最新の設定項目だけではなく、設定されたすべての設定項目を表示してもよい。
【００６８】
図９は、本実施例における複数の設定項目を表示する合成画像３０１を示す図である。
【００６９】
例えば、ユーザーが「明るさ」と「台形補正」を調整した場合、図９に示すように、プロジェクタ１００は、「明るさ」のＯＳＤ画像３１３と「台形補正」のＯＳＤ画像３１４を表示してもよい。また、図９に示すように、プロジェクタ１００は、ユーザーの指示に応じてＯＳＤ画像３１３、３１４の位置を調整してもよい。
【００７０】
なお、判定部１１２が、ＯＳＤ設定データ１２２における「明るさ」および「台形補正」の「透過率」および「位置」を設定することにより、プロジェクタ１００は、合成画像３０１におけるＯＳＤ画像３１３、３１４の位置の調整等を行うことができる。
【００７１】
また、プロジェクタ１００は、親子画像やマルチ画像のように、１画像内に複数の動画像を表示する場合、複数の動画像のそれぞれに対して設定項目を表示してもよい。
【００７２】
図１０は、本実施例における複数の動画像３３０、３３１のそれぞれに対して設定項目を表示する合成画像３０２を示す図である。
【００７３】
例えば、プロジェクタ１００は、動画像３３０を調整するためのＯＳＤ画像３１５と、動画像３３１を調整するためのＯＳＤ画像３１６を含む合成画像３０２を表示する。
【００７４】
これによれば、プロジェクタ１００は、複数種の動画像３３０、３３１を同時に表示する場合であっても、ユーザーは動画像ごとに視聴環境を設定することができるため、ユーザーの操作性を向上させることができる。
【００７５】
なお、この場合、例えば、ＯＳＤ設定データ１２２において、ＯＳＤ画像３１５用の項目の「ＩＤ」が１０００番台で設けられ、ＯＳＤ画像３１６用の項目の「ＩＤ」が１０００番台で設けられればよい。例えば、ＯＳＤ画像３１５の「明るさ」の「ＩＤ」が「１１２０」であり、ＯＳＤ画像３１６の「明るさ」の「ＩＤ」が「２１２０」である。ＯＳＤ設定データ１２２がこのように構成されることにより、判定部１１２は、複数のＯＳＤ画像３１５、３１６を同時に管理することができる。
【００７６】
また、プロジェクタ１００は、ＯＳＤ画像３１０として、視聴環境を設定するためのメニュー画像以外の画像を表示してもよい。
【００７７】
図１１は、本実施例における現在日時を表示する合成画像を示す図である。
【００７８】
例えば、プロジェクタ１００は、図１１に示すように、現在日時を示すＯＳＤ画像３１７を含む合成画像３０３を表示してもよい。
【００７９】
これによれば、ユーザーは、動画像の内容を見逃すことなく、現在の日時を確認することができる。特に、プロジェクタ１００の場合、周囲が暗い状況であるため、ユーザーが時計で時刻等を確認することは困難であるが、合成画像３０３の一部として表示することにより、ユーザーは容易に現在の日時を確認することができる。なお、ＯＳＤ画像３１７は、日時でなく、日のみ、時刻のみを示す画像であってもよい。
【００８０】
また、透過率の設定は、段階的なものでなくてもよく、例えば、連続的なもの（例えば、透過率が５０、５１、５２と変化する等）でもよい。また、透過率の最小値は５０に限定されず、例えば、０等であってもよい。また、透過率の最大値は８０に限定されず、例えば、９９等であってもよい。
【００８１】
また、プロジェクタ１００としては、液晶プロジェクタ、ＤＭＤ(Digital Micromirror Device)を用いたプロジェクタ、ＣＲＴプロジェクタ等の種々のプロジェクタを採用可能である。なお、ＤＭＤは米国テキサスインスツルメンツ社の商標である。
【００８２】
また、表示装置は、プロジェクタ１００に限定されず、プロジェクションＴＶ、液晶ＴＶ、液晶ディスプレイ、携帯型ゲーム装置、携帯電話、ＰＤＡ等の種々の表示装置を採用可能である。
【００８３】
また、表示装置は、単体の装置には限定されず、表示装置の機能を複数の装置に分散してもよい。具体的には、例えば、表示装置の機能の一部をＰＣに実装し、他の機能を液晶ディスプレイに実装してもよい。
【図面の簡単な説明】
【００８４】
【図１】本実施例における合成画像の初期状態を示す図である。
【図２】本実施例における合成画像の中間状態を示す図である。
【図３】本実施例における合成画像の最終状態を示す図である。
【図４】本実施例におけるプロジェクタの機能ブロック図である。
【図５】本実施例におけるＯＳＤ画像データとＯＳＤ設定データのデータ構造を示す図である。
【図６】本実施例におけるＯＳＤ画像表示における処理の流れを示すフローチャートである。
【図７】本実施例におけるＯＳＤ画像の初期状態を示す図である。
【図８】本実施例におけるＯＳＤ画像の中間状態を示す図である。
【図９】本実施例における複数の設定項目を表示する合成画像を示す図である。
【図１０】本実施例における複数の動画像のそれぞれに対して設定項目を表示する合成画像を示す図である。
【図１１】本実施例における現在日時を表示する合成画像を示す図である。
【符号の説明】
【００８５】
１００  プロジェクタ（表示装置）、１１１  タイマー部、１１２  判定部、  １１３  透過率設定部、１１４  画像生成部、１２０  記憶部、１２１  ＯＳＤ画像データ、１２２  ＯＳＤ設定データ、１２３  環境設定データ、１３０  入力部、１５０  投写部（表示部）、２００  情報記憶媒体、３００〜３０２  合成画像、３３０、３３１  動画像、３１０〜３１７  ＯＳＤ画像
【図１】
2007132984.tif 000003
【図２】
2007132984.tif 000004
【図３】
2007132984.tif 000005
【図４】
2007132984.tif 000006
【図５】
2007132984.tif 000007
【図６】
2007132984.tif 000008
【図７】
2007132984.tif 000009
【図８】
2007132984.tif 000010
【図９】
2007132984.tif 000011
【図１０】
2007132984.tif 000012
【図１１】
2007132984.tif 000013